(57)【要約】【課題】液化低沸点燃料に対して気密性を持たない燃料噴射ポンプ等をもったディーゼル機関に、エンジン停止時に気密性が確保できない部分の液化低沸点燃料を回収する装置をもった、小型で軽量なディーゼル機関の燃料供給装置及びディーゼル機関の制御方法を提供することを目的とするものである。【解決手段】液化低沸点燃料を入れる燃料容器１と、燃料容器１と燃料噴射ポンプ２５との間に設けられて液化低沸点燃料を昇圧させる燃料供給装置４とを有し、燃料供給装置４の吐出側配管１８と燃料容器１との間に、燃料噴射ポンプ２５内、燃料噴射ノズル２６内等の燃料を回収する燃料回収装置４０を設けた。【選択図】        図１
2004270481.tif 000002
【特許請求の範囲】
【請求項１】
液化低沸点燃料を入れる燃料容器と、該燃料容器と燃料噴射ポンプとの間に設けられて前記液化低沸点燃料を昇圧させる燃料供給装置とを有し、
該該燃料供給装置の吐出側配管と前記燃料容器との間に、前記燃料噴射ポンプ内、燃料噴射ノズル内等の燃料を回収する燃料回収装置を設けたことを特徴とするディーゼル機関の燃焼供給装置。
【請求項２】
前記燃料回収装置は、昇圧ポンプを燃料内に浸漬した昇圧ポンプユニットを１台又は複数台を直列接続して構成したことを特徴とする請求項１記載のディーゼル機関の燃料供給装置。
【請求項３】
請求項１又は２に記載の燃料回収装置を、機関の停止後所定の時間経過したのち停止させることを特徴とするディーゼル機関の制御方法。
【請求項４】
請求項１又は２記載の燃料回収装置を、該燃料回収装置が液体吸い込みからガス吸い込みに変化したときのポンプ負荷動力の変化により停止させることを特徴とするディーゼル機関の制御方法。
【発明の詳細な説明】
【０００１】
【発明の属する技術分野】
本発明は、車輌、船舶、発電機などの駆動に用いられる液化低排点燃料を主燃料とするディーゼル機関の燃料供給装置及びこの燃料供給装置を使用したディーゼル機関に関するものである。
【０００２】
【従来の技術】
従来、ディーゼル機関の燃料は、一般に軽油が用いられていたが、近時、軽油に代えてジメチルエーテル（以下、ＤＭＥという）を燃料として用いることが検討されている。ＤＭＥを燃料としてディーゼル機関に用いる場合、軽油と同様のセタン値をもつばかりでなく、軽油に比べて排ガス中のＮＯｘ濃度が低く、全出力領域で排煙がきわて少ないため、クリーンな燃料として期待されている。
【０００３】
しかし、ＤＭＥ燃料は沸点が−２５℃と低いため常温では気体であり、このような低沸点燃料をディーゼル機関に用いる場合は、燃料供給ポンプの吐出圧力、すなわち、燃料噴射ポンプヘの燃料供給圧力は、燃焼容器内の燃料の飽和蒸気圧（例えば、０．５〜１．０ＭＰｓ程度）以上の圧力（例えば、１．５〜２．５ＭＰａ程度）に加圧して供給する必要がある。
【０００４】
このような問題を解決するための技術として、例えば、液化低沸点燃料を入れる圧力容器と、この圧力容器に接続され圧縮気体の吸込みと放出によって駆動される燃料送りポンプと、ディーゼル機関の始動と停止とに連動して燃料のエンジン本体への供給管路を開閉する弁機構とからなり、燃料送りポンプを構成する吸込み、放出の両室のピストン面積比分だけ作動ガス圧に対する燃料室側の燃料圧を増加させるようにした燃料供給装置がある（例えば、特許文献１参照）。
また、液化低沸点燃料を入れる燃料容器と、燃料噴射ポンプとの間に設けられて液化低沸点燃料を昇圧させる燃料供給装置とを有し、この燃料供給装置に、昇圧ポンプを燃料内に浸漬した複数の昇圧ポンプユニットを直列に接続してなる燃料昇圧手段を設けたものがある（例えば、特許文献２参照）。
【０００５】
【特許文献１】
特開２０００−１１６８７号公報（第２−第３頁、図１）
【特許文献２】
特開２００２−２５６９８１号公報（第３−第４頁、図１−図３）
【０００６】
【発明が解決しようとする課題】
上述のような燃料供給装置は、液化低沸点燃料を燃焼噴射ポンプに安定して供給することができるが、エンジンが停止したときには、これらの燃料供給装置から供給された液化低沸点燃料は、燃料供給装置吐出口から燃料噴射ポンプまでの供給配管内、燃料噴射ポンプ内、燃料噴射ノズル内及び燃料噴射ポンプと燃料噴射ノズルまでの高圧配管内、そして燃料戻し配管内にＤＭＥ燃料が残存した状態で残る。
【０００７】
軽油用のディーゼルエンジンに一般的に使われている燃料噴射ポンプ、噴射ノズルは気密性がなく、エンジンが停止して燃料噴射ポンプ及び噴射ノズル内に液化低沸点燃料が残留した状態になると、圧力が保てないので液化低沸点燃料はガス化する。ガス化した液化低沸点燃料は、噴射ポンプであれば、噴射ポンプ内のプランジャーとバレルの隙間から噴射ポンプのカムシャフト室を経て、エンジンクランク室に流れ出す。一方、噴射ノズルの場合は、噴射ノズル先端の噴口部からエンジン燃焼室内に流れ出す。
このため、エンジン停止状態で長く放置した後、エンジンを再起動させると、エンジン燃焼室内又はクランク室内に充満した可燃性の液化低沸点燃料のガスが異常燃焼を起こし、エンジンの損傷するおそがある。
【０００８】
これを解決するべく、エンジン停止とともに燃料噴射ポンプ及び燃料噴射ノズル内に残存している液化低沸点燃料を系外、すなわち、大気に放出する処置がしばしばとられている。しかし、この放出量は３６００ｃｃ、８８ｋＷほどの２トン小型トラック程度のディーゼルエンジンで１００ｃｃ以上の液量に相当し、燃費の悪化になるとともに、可燃性ガスの大気放出ということで環境への影響も無視できないのが現状である。
また、文献によれば、エンジン停止とともに燃料供給系内の残留液化低沸点燃料を大気にガスとして放散させるのではなく、ガスとして、一旦パージタンクに回収した上で、ガスを圧縮して再液化後燃料タンクに戻す大掛かりな燃料回収装置も提案されているが、一般的ではない。
【０００９】
本発明は、上記の課題を解決するためになされたもので、液化低沸点燃料に対して気密性を持たない燃料噴射ポンプ等をもったディーゼル機関に、エンジン停止時に気密性が確保できない部分の液化低沸点燃料を回収する装置をもった、小型で軽量なディーゼル機関の燃料供給装置及びディーゼル機関の制御方法を提供することを目的とするものである。
【００１０】
【課題を解決するための手段】
（１）本発明に係るディーゼル機関の燃料供給装置は、液化低沸点燃料を入れる燃料容器と、該燃料容器と燃料噴射ポンプとの間に設けられて前記液化低沸点燃料を昇圧させる燃料供給装置とを有し、該燃料供給装置の吐出側配管と前記燃料容器との間に、前記燃料噴射ポンプ内、燃料噴射ノズル内等の燃料を回収する燃料回収装置を設けたものである。
【００１１】
（２）上記（１）の燃料回収装置は、昇圧ポンプを燃料内に浸漬した昇圧ポンプユニットを１台又は複数台を直列接続して構成したものである。
【００１２】
（３）本発明に係るディーゼル機関の制御方法は、上記（１）又は（２）の燃料回収装置を、機関の停止後所定の時間経過したのち停止させるようにしたものである。
【００１３】
（４）また、上記（１）又は（２）の燃料回収装置を、該燃料回収装置が液体吸い込みからガス吸い込みに変化したときのポンプ負荷動力の変化により停止させるようにしたものである。
【００１４】
【発明の実施の形態】
［実施の形態１］
図１は本発明の実施の形態１のシステム図である。図において、１は例えば、ＤＭＥの如き液化低沸点燃料（以下、単に燃料という）が入れられた燃料容器で、この燃料容器１内の燃料は、通常、圧力Ｐ＝０．５〜１．０ＭＰａ程度、温度Ｔ＝２０〜５０℃程度に保持されている。４は燃料容器１と後述の燃料噴射ポンプ２５との間に設けられた燃料供給装置で、燃料容器１内の燃料を昇圧する燃料昇圧手段５を備えている。この燃料昇圧手段５は直列に接続した複数の昇圧ポンプユニット６ａ，６ｂ，６ｃ（以下、単に６と記すことがある）からなり、初段の昇圧ポンプユニット６ａの下部と、燃料容器１の底部とは管路２により常時は開放している開閉弁３を介して接続されている。
【００１５】
図２は昇圧ポンプユニット６の一例を示す断面図で、圧力容器７の中に昇圧ポンプ８を内蔵したものである。この昇圧ポンプ８は、その一例を図３に示すように、円筒状の容器９内に駆動モータ１０と、この駆動モータ１０によって回転駆動されるトロコイド式、ギヤ式などの機械式のポンプ１１とによって構成したものである。なお、１２は容器９の上部に設けた吐出ポート、１３は駆動モータ１０に給電するための電気配線が接続されるコネクタである。
【００１６】
再び図２において、圧力容器７は上下が閉塞された円筒状の構造となっており、下部には、燃料入口１４を介して燃料容器１に接続される低圧室１５が設けられている。１６は低圧室１５の上部に設けられた高圧室であり、昇圧ポンプ８は高圧室１６内に挿入されて固定され、低圧室１５と高圧室１６とは昇圧ポンプ８の下部に取付けたテフロン（登録商標）、銅などの材料からなるパッキン１７を介して機密に保持されている。
【００１７】
１８は圧力容器７の上壁に設けられた高圧燃料出口で、次段の昇圧ポンプユニット６ｂ，６ｃの燃料入口１４に接続されている。１９ａは上壁に設けられた端子で、コネクタ１３と例えば車載のバッテリー１９とが接続される。上記のような昇圧ポンプユニット６においては、高圧室１６内には燃料が充填されており、昇圧ポンプ８はこの燃料内に浸漬されている。そして、昇圧ポンプユニット６ａ，６ｂ，６ｃの駆動モータ１０は例えば車載のバッテリー（ＤＣ２４Ｖ又は１２Ｖ）１９に直列に接続されて駆動されるようになっており、１台あたりのΔｐ、すなわち、吸込み圧と吐出圧との差は最大約０．５ＭＰａまで可能である。
【００１８】
この昇圧ポンプユニット６は、昇圧ポンプ８が駆動されると、燃料容器１内と同圧の低圧室１５内の燃料が、昇圧ポンプ８によって、ポンプ出側の圧力抵抗もしくは差圧調整弁３８等の圧力調整弁機構により、一台あたり最大約０．５ＭＰａ昇圧されて吐出ポート１２から高圧室１６内に吐出され、昇圧ポンプ８内の圧力と同圧に保持されると共に、高圧燃料出口１８から次段の昇圧ポンプユニット６ｂ，６ｃに送られ、同様にして順次各最大約０．５ＭＰａずつ昇圧される。
【００１９】
本実施の形態によれば、昇圧ポンプユニット６ａ〜６ｃを３台直列に接続したので、燃料の最大昇圧量は約１．５ＭＰａとなり、燃料容器１内の自圧、すなわち、ＤＭＥ燃料の場合、燃料容器１内の飽和蒸気圧力が約０．６ＭＰａであるとすると、燃料昇圧手段により最大２．０ＭＰａ以上の燃料供給圧力が得られることになる。また、昇圧ポンプユニット６ａ〜６ｃの駆動モータ１０を、バッテリー１９に直列に接続したことで、バッテリー１９が２４Ｖとすると、３台の昇圧ポンプユニット６ａ〜６ｃの負荷（Δｐ）配分が釣り合うため、各昇圧ポンプユニット６ａ〜６ｃの負荷電圧は８Ｖで釣り合い、計２４Ｖとなって消費電流は８〜１０Ａ程度にすることができ、一般に車載されているバッテリーで十分対応することができる。
【００２０】
再び図１において、２０はディーゼル機関（以下、単にエンジンという）で、２１はシリング、２２はピストン、２３は吸気口、２４は排気口である。２５はエンジン２０に取付けられた燃料噴射ポンプ、２６は各シリンダ２１のシリンダヘッドに取付けられ、燃料噴射ポンプ２５から供給された燃料をシリンダ２１内に噴射する噴射ノズルである。
【００２１】
３０は燃料昇圧手段５の最終段の昇圧ポンプユニット６ｃの高圧燃料出口１８と、燃料噴射ポンプ２５とを接続する燃料供給配管で、昇圧ポンプユニット６ｃの出口側には電磁開閉弁３１が設けられており、その下流側にはエンジン停止時に開く電磁弁３２が設けられ、電磁弁３２には後述の燃料回収装置である燃料回収ポンプ４０の吸入口に接続する回収用配管３９が接続されている。
４０は燃料噴射ポンプ２５内、燃料供給配管３０内、噴射ノズル２６内、及び燃料戻し配管３６内に残留する燃料を回収するための燃料回収ポンプで、昇圧ポンプユニット６と同じ構造のものである。燃料回収ポンプ４０の吐出口には吐出配管４１が接続され、この吐出配管４１は電磁弁４２、接続配管４３，４５を介して燃料容器１に接続されている燃料戻し管３７に接続されている。
【００２２】
配管３９は分岐して電磁開閉弁４４が接続され、この電磁開閉弁４４は大気開放弁であり、燃料回収ポンプ４０の停止後に動作するものである。３３は電磁開閉弁３１の上流側（昇圧ポンプユニット６ｃ側）において、燃料供給配管３０から分岐した分岐管３４に設けたアキュムレータである。３５は昇圧ポンプユニット６ｃ、電磁開閉弁３１、アキュムレータ３３、分岐管３４内の圧力が異常に高くなったときに、圧力を燃料容器１内にリリーフさせるリリーフ弁である。３６は燃料噴射ポンプ２５及び噴射ノズル２６と燃料容器１との間に設けられ、燃料噴射ポンプ２５からの燃料余り分及び噴射ノズル２６からのリーク分を燃料容器１に戻す燃料戻し配管で、エンジン２０側の燃料戻し配管３５と燃料容器１側の燃料戻し配管３７との間には差圧調整弁３８が設けられている。
【００２３】
次に、上記のように構成した本実施の形態の作用を説明する。なお、燃料昇圧手段５を構成する部品のうち、昇圧ポンプユニット６ａ，６ｂ，６ｃの低圧室１５及び高圧室１６、閉じられた電磁開閉弁３１の上流側と分岐管３４、アキュムレータ３３、差圧調整弁３８から燃料容器１との間の燃料戻し配管３７で形成された系内には、例えば燃料容器１内の飽和蒸気圧力とほぼ同圧の燃料が満たされているものとする。
一方、配管３９、燃料回収ポンプ４０内は雰囲気温度の飽和蒸気圧のガスで充満しているものとする。
【００２４】
差圧調整弁３８は、その上流側、すなわち図１においては、エンジン側の燃料戻し配管３６と、下流側、すなわち燃料容器１側の燃料戻し配管３７との間の差圧を所定の圧力差にするように常に機械的に調整するもので、圧力は下流側の圧力を基準に上流側の圧力を調整し、上流側の圧力の方が高くなるように調整される。この差圧調整弁３８は所定の差圧になるまで閉じた状態になっており、エンジン２０が停止したとき、すなわち、昇圧ポンプユニット６ａ〜６ｃが停止状態においては、差圧調整弁３８は閉じている。
【００２５】
バッテリー１９のスイッチ１９ｂはエンジンキーと連動しており、エンジンキーを回して先ずスイッチ１９ｂをＯＮして各昇圧ポンプユニット６ａ〜６ｃの駆動モータ１０を駆動すると、これと連動して電磁開閉弁３１が開放され、燃料回収ポンプ４０と接続開放している電磁弁３２が閉じる。飽和蒸気圧力が例えば約０．６ＭＰａの燃料容器１内の燃料は、差圧調整弁３８の圧力調整により各昇圧ポンプユニット６ａ〜６ｃでそれぞれ最大０．５ＭＰａ昇圧されるため、初段の昇圧ポンプユニット６ａでは約１．１ＭＰａ、中段の昇圧ポンプユニット６ｂでは約１．６ＭＰａ、最終段の昇圧ポンプユニット６ｃの高圧燃料出口１８では約２．１ＭＰａとなって、燃料供給配管３０から燃料噴射ポンプ２５へ送られる。なお、ＤＭＥ燃料のように低沸点で低粘性の燃料は、昇圧ポンプのシール機構からリークすることが多いが、本発明の昇圧ポンプユニット６によれば、昇圧ポンプ８が燃料内に浸漬されているので、リークの処理を考慮する必要がない。
【００２６】
そして、燃料噴射ポンプ２５から各シリンダ２１に設けられた噴射ノズル２６に燃料が送られ、順次シリンダ２１内に噴射してエンジン２０を駆動する。噴射ノズル２６からリークした燃料は、戻し配管３６，３７から燃料容器１に戻される。
【００２７】
このように、燃料昇圧手段５の最終段の昇圧ポンプユニット６ｃの高圧燃料出口１８から燃料噴射ポンプ２５までの燃料供給配管３０、燃料噴射ポンプ２５及び噴射ノズル２６、エンジン２０側の燃料戻し配管３６、差圧調整弁３８、燃料容器１側の燃料戻し配管３７からなる燃料配管経路が形成されることで、差圧調整弁３８の開度調整により、最終段の昇圧ポンプユニット６ｃの負荷、すなわち出口圧力、つまり噴射ポンプ２６への燃料供給圧力を調整することができる。
【００２８】
このエンジン２０が、例えば始動直後の状況、あるいは寒冷地などで使用される場合において、燃料容器１内の燃料の温度が低く、燃料容器１内の飽和蒸気圧力が低いときには、燃料供給圧力調整に絶対的な圧力値が常に一定となる圧力調整弁を用いて、昇圧ポンプユニット６の吐出圧力を絶対値として一定圧力制御をしたとすると、昇圧ポンプユニット６の各段あたりの昇圧分が増加し、必要以上の負荷が昇圧ポンプユニット６にかかることになるが、燃料容器１内の圧力に対する相対値として圧力を調整する差圧調整弁３８を用いることにより、相対的に吐出圧力が決定されるので、燃料容器１内の飽和蒸気圧力の影響を受けることなく、昇圧ポンプユニット６への負荷を一定にすることができる。
【００２９】
また、長時間エンジン２０が運転されている状況下や、気温が高い条件下で動作するときにおいては、燃料噴射ポンプ２５から燃料容器１に戻る燃料が、燃料噴射ポンプ２５内を通過するために温度が高くなり、かつ、噴射ノズル２６からリークして燃料容器１に戻る燃料も温度が高いため、例えば、燃料噴射ポンプ２５及び噴射ノズル２６から戻る燃料の温度は６０℃程度になる。このため戻ってきた燃料によって燃料容器１内の燃料温度が高くなり、その結果燃料容器１内の飽和蒸気圧力が上昇する。
【００３０】
このような場合でも、燃料容器１内の飽和蒸気圧力と、昇圧ポンプユニット６から送り出される燃料の圧力との差がほぼ一定になるように、圧力調整弁３８によって調整されるので、昇圧ポンプユニット６の負荷はほぼ一定になる。このように、差圧調整弁３８を設けたことにより、使用状況が変化しても昇圧ポンプユニット６の負荷、つまり仕事量はほぼ一定になるので、安定した動作を得ることができる。
【００３１】
また、燃料噴射ポンプ２５には、通常多気筒のジャーク式ポンプが用いられることが多いが、この場合、燃料供給配管３０には激しい脈動が生じ、最終段の昇圧ポンプユニット６ｃに過大な負荷（トルク）変動を生じさせる。このような脈動を最終段の昇圧ポンプユニット６ｃの出口側に設けたアキュムレータ３３によって吸収させることにより、昇圧ポンプユニット６ｃの出口側の脈動が無くなり、昇圧ポンプユニット６ｃの負荷変動を軽減することができる。
【００３２】
エンジン２０の停止時の動作および燃料回収動作は、次の通りである。エンジン２０が停止するとともに、電磁開閉弁３１が閉じ、昇圧ポンプユニット６ａ〜６ｃが停止する。このとき、燃料噴射ポンプ２５、燃料噴射ノズル２６、燃料供給管３０、燃料戻し配管３６内等の残留燃料は徐々に飽和蒸気圧に圧力が下がり、差圧調整弁３８の入口と出口間で圧力差が無くなるため、差圧調整弁３８は閉じる。その後、電磁弁３２が開き、燃料回収ポンプ４０が起動し、燃料回収ポンプ４０の吐出口と燃料タンク１を接続する電磁弁４２が開いて、燃料供給配管３０、燃料噴射ポンプ２５、噴射ノズル２６、燃料戻し配管３６内の残留液化低沸点燃料を吸い込み燃料容器１内に吐出回収する。このとき、燃料回収ポンプ４０は昇圧ポンプ９と同様に浸漬式の構造であるので、燃料回収ポンプ４０での燃料リークは問題とならない。
【００３３】
燃料回収ポンプ４０での大きな課題は、ポンプ始動とともに残留燃料がポンプによる吸い込みで圧力が低下し、気泡が発生して極端にポンプ効率（吸入効率）の低下を招き、燃料回収能力が大幅に損なわれることであるが、燃料容器１に燃料を戻すための圧力は、燃料容器１内の飽和蒸気圧（回収ポンプ吸入圧）に対して＋０．１ＭＰａ程度でよいため、ポンプ吸入口での圧力低下は低く、燃料回収ポンプ４０の始動直後の残留燃料が多いときには気泡化しない。また、上記の説明では燃料回収ポンプ４０は１段の例を示したが、回収ポンプ４０を複数段直列に設けることにより、吸入口での圧力低下をより小さくできる。装置の大きさを考えると、燃料回収ポンプの構成は１〜２台が妥当である。しかし、回収が進み残留燃料が少なくなると、燃料回収ポンプ４０の吸入効率は低下する。液体状態の残留燃料の回収が十分完了した時点で、燃料回収ポンプ４０を停止し、電磁弁４２を閉じて、電磁開放弁４４を開き、燃料噴射ポンプ２５、噴射ノズル２６内の圧力を大気に開放させる。
【００３４】
燃料噴射ポンプ２５の容量に因るが、エンジン停止後、燃料回収ポンプ４０の動作時間は３０秒程度である。燃料回収ポンプ４０の停止設定は、エンジン停止後、所定の時間設定で動作完了させることでも問題ないが、残留燃料の回収が進み、回収配管内がガス化した時点で、燃料回収ポンプ４０の動力負荷が極端に変化したときに燃料回収ポンプ４０を停止するようにしてもよい。
【００３５】
［実施の形態２］
図４は本発明の実施の形態２のシステム図である。本実施の形態は燃料回収ポンプ４０と燃料昇圧手段５の最終段の昇圧ポンプユニット６ｃを兼用するものである。エンジン停止時に電磁弁３１及び４６，４７が閉じる。そして、電磁弁３２が開き、最終段の昇圧ポンプユニット６ｃが再稼動する。これにより、電磁弁４９が開いて、配管５０，４５、燃料もどし配管３７を経て燃料容器１に燃料を戻す。
このとき、昇圧ポンプユニット６ａ，６ｂも６ｃと同時運転であってもよい。昇圧ポンプユニット６ａ，６ｂは吐出配管１８の電磁弁４６が閉じているので、浸漬した状態で昇圧ポンプ８が空回りしているだけで問題はない。
【００３６】
上記の説明では、本発明に係る燃料供給装置を主として車輌用のディーゼル機関に実施した場合を示したが、本発明はこれに限定するものではなく、船舶、発電機等の運転用ディーゼル機関にも実施することができる。また、ＤＭＥ燃料を使用するディーゼル機関に本発明を実施した場合を示したが、例えば、ＬＰＧの如き液化低沸点燃料を使用するディーゼル機関にも本発明を実施することができる。
【００３７】
【発明の効果】
以上の説明から明らかなように、本発明は、エンジンの駆動に使用する液化低沸点燃料の燃料供給装置において、エンジン停止時の気密性がない燃料噴射ポンプ内等の残留液化低沸点燃料を、浸漬式のポンプを１台又は複数台を直列に接続してなり、バッテリーによる小さい動力で作動することのできる燃料回収装置を設けたので、燃料の回収手段を大幅に小型かつ軽量化することができ、燃費の向上、環境負荷の軽減に役立つことができる。
【図面の簡単な説明】
【図１】本発明の実施の形態１のシステム図である。
【図２】図１の昇圧ポンプユニットおよび燃料回収ポンプの説明図である。
【図３】図２の昇圧ポンプユニットに内蔵する昇圧ポンプおよび回収ポンプの説明図である。
【図４】本発明の実施の形態２のシステム図である。
【符号の説明】
１  燃料容器
４  燃料供給装置
５  燃料昇圧手段
６  昇圧ポンプユニット
７  圧力容器
８  昇圧ポンプ
１２  燃料の吐出ポート
１５  低圧室
１６  高圧室
１８  高圧燃料出口
１９  バッテリー
２０  ディーゼル機関（エンジン）
２５  燃料噴射ポンプ
２６  噴射ノズル
３０  燃料供給配管
３１  電磁開閉弁
３２  大気開放電磁弁
３３  アキュムレータ
３５  リリーフ弁
３６，３７  燃料戻し配管
３８  差圧調整弁
４０  燃料回収ポンプ（燃焼回収装置）
【図１】
2004270481.tif 000003
【図２】
2004270481.tif 000004
【図３】
2004270481.tif 000005
【図４】
2004270481.tif 000006